(57)【要約】【課題】簡便な構造によって十分な消音効果を得ることができ、消音対策が施されていない既設の柵柱に対しても容易に後づけ可能なチェーン収納式柵柱の消音装置を提供する。【解決手段】柵柱本体１０の内部に、柵柱本体１０の内周面とは適宜の隙間を設けて、合成樹脂製のチェーン収納容器４を非固定状態で遊挿する。チェーン収納容器４の上部にはチェーン挿通用の開口部４３を形成し、該開口部４３の周囲に金属製の補強リング４４を埋め込む。このチェーン収納容器４内に挿入されるチェーン３の端部には、上記開口部４３を抜け出さない形状の抜け止め具５を取り付け、その表面をゴム状弾性体５２によって被覆する。チェーン出入口には消音材２３を取り付ける。【選択図】図１
2008156941.tif 000002
【特許請求の範囲】
【請求項１】
中空筒状をなす柵柱本体の上部近傍に形成されたチェーン出入口を通じて、柵柱本体の内部にチェーンが出し入れ自在に収容されるチェーン収納式柵柱の消音装置であって、
柵柱本体の内部に、柵柱本体の内周面とは適宜の隙間を設けて非固定状態で遊挿される合成樹脂製のチェーン収納容器と、上記チェーン収納容器内に挿入されるチェーンの端部に取り付けられた抜け止め具と、チェーン出入口に取り付けられる消音材とを備えることを特徴とするチェーン収納式柵柱の消音装置。
【請求項２】
抜け止め具は、チェーン収納容器の上部に形成されたチェーン挿通用の開口部を抜け出さない形状を有するとともに、その表面がゴム状弾性体により被覆されてなることを特徴とする請求項１に記載のチェーン収納式柵柱の消音装置。
【請求項３】
チェーン収納容器の上部に形成されたチェーン挿通用の開口部の周囲に金属製の補強リングが埋め込まれたことを特徴とする請求項１または２に記載のチェーン収納式柵柱の消音装置。
【発明の詳細な説明】
【技術分野】
【０００１】
本発明は、車両や歩行者等の通行を規制するための柵柱、特に、柵柱間に懸架するチェーンを柵柱の内部に出し入れ自在に収納しうるように構成されたチェーン収納式柵柱にあって、チェーンを出し入れする際の騒音を低減する消音装置に関する。
【背景技術】
【０００２】
多くの駐車場や公共施設等においては、車両や歩行者の通行を規制する目的で、地表に柵柱が設置される。柵柱は、通常、地面に対して着脱自在または収納自在に設けられ、隣り合う柵柱間には、必要に応じてチェーンが架け渡される。
【０００３】
この種の柵柱にあっては、チェーンを使用しないとき、邪魔にならないようにチェーンを柵柱の内部に収納しうるように構成されたものが知られている。しかし、このようなチェーン収納式柵柱にあっては、チェーンの出し入れに際して金属製の柵柱本体とチェーンとが接触することにより、耳障りな金属音が発生し、近隣に不快感を与えてしまうという問題があった。
【０００４】
そこで、例えば特許文献１、２等には、柵柱の内側に合成樹脂製の筒体を取り付けて、この筒体内にチェーンを収納するとともに、柵柱の側面に設けられるチェーン出入口の周囲にも合成樹脂製の消音材を取り付けて、柵柱とチェーンとの接触音を低減する技術が提案されている。
【特許文献１】特開平１１−３１０９０８号公報
【特許文献２】特開２００１−１６４５２９号公報
【発明の開示】
【発明が解決しようとする課題】
【０００５】
上記従来のようなチェーン収納式柵柱は、柵柱の内側に合成樹脂製の筒体を固定する構造を採用しているため、その製作に際して筒体の位置決めや固定用部材の取り付けなどに手間がかかり、製品コストが嵩む。また、消音対策が施されていない既設の柵柱に対しては、その内部に消音用の筒体を後から適切に取り付けるのが困難である。
【０００６】
そこで本発明は、より簡便で低コストの構造によって同等以上の消音効果を得ることができ、かつ、消音対策が施されていない既設の柵柱に対しても容易に後づけすることのできるチェーン収納式柵柱の消音装置を提供するものである。
【課題を解決するための手段】
【０００７】
上記の目的を達成するため、本発明のチェーン収納式柵柱の消音装置は、中空筒状をなす柵柱本体の上部近傍に形成されたチェーン出入口を通じて、柵柱本体の内部にチェーンが出し入れ自在に収容されるチェーン収納式柵柱の消音装置であって、柵柱本体の内部に、柵柱本体の内周面とは適宜の隙間を設けて非固定状態で遊挿される合成樹脂製のチェーン収納容器と、上記チェーン収納容器内に挿入されるチェーンの端部に取り付けられた抜け止め具と、チェーン出入口に取り付けられる消音材とを備えることを特徴とする。
【０００８】
また、上記発明において、上記抜け止め具は、チェーン収納容器の上部に形成されたチェーン挿通用の開口部を抜け出さない形状を有するとともに、その表面がゴム状弾性体により被覆されてなることを特徴とする。
【０００９】
さらに、上記発明において、チェーン収納容器の上部に形成されたチェーン挿通用の開口部の周囲に金属製の補強リングが埋め込まれたことを特徴とする。
【発明の効果】
【００１０】
上述のように構成される本発明の消音装置は、チェーンが、消音材の取り付けられたチェーン出入口を通じて、合成樹脂からなるチェーン収納容器内に出し入れされることにより、柵柱本体とチェーンとの接触音を低減することができる。チェーン収納容器は、柵柱本体の内部に非固定状態で遊挿され、チェーンの出し入れに伴って上下方向及び横方向に多少揺れ動くが、チェーン収納容器の大きさが柵柱の径やチェーンの太さに比べて極端に小さくない限り、チェーンの出し入れに際して特に不都合はない。そして、チェーン収納容器が自由に揺れ動くことにより、チェーンの出し入れに際して柵柱本体に直接伝わる衝撃が低減され、従来と同等以上の消音効果を得ることができる。
【００１１】
チェーン収納容器を非固定式とすることにより、組み立てが容易になり、製品コストも抑制することができる。また、消音対策が施されていない既設の柵柱に対しても、その内部にチェーン収納容器を後から挿入するだけで、容易に消音化を図ることができる。
【００１２】
チェーンの抜け止め具に被服されるゴム状弾性体は、チェーン収納容器との接触音を低減するのに寄与する。また、チェーン収納容器の開口部に埋め込まれる補強リングは、チェーンを引き出す時に開口部が拡がって変形・破損するのを防止する。
【発明を実施するための最良の形態】
【００１３】
以下、本発明の実施の形態について図を参照して説明する。
【００１４】
図１〜図２は本発明の実施形態に係るチェーン収納式柵柱１を示す。例示の柵柱本体１０は、地中に埋設された外筒１１に収納され、必要に応じ引き上げられて、立設状態で固定される。ただし、本発明において、柵柱本体１０は着脱式のものであってもよい。
【００１５】
柵柱本体１０は、ステンレス鋼等からなる中空有底の筒体で、その上部側面に窓孔１２が形成されている。窓孔１２の内側には、縦断面略コ字状の窓口金具２が取り付けられ、これら窓孔１２と窓口金具２とによりチェーン出入口が構成される。窓口金具２は、コ字状の開放面を窓孔１２側に向けて、上板２１及び底板２２の縁部が柵柱本体１０の内面に溶接されている。底板２２には略円形の通孔が形成されており、この通孔に略短筒状の消音材２３が嵌め込まれている。消音材２３は、例えばポリウレタンやポリプロピレン等の合成樹脂、あるいは、より硬質で耐磨耗性や潤滑性に優れるＡＢＳ樹脂その他のエンジニアリングプラスチック等からなる部材で、中央には上向きに拡径するチェーン挿通孔２４が形成されている。
【００１６】
チェーン３は、消音材２３のチェーン挿通孔２４に挿通され、窓口金具２の金属部分には接触しないようにして出し入れされる。チェーン３の引き出し側の端部には、チェーン挿通孔２４を通過しない大きさの引掛リング３１が取り付けられている。この引掛リング３１は、チェーン３を柵柱本体１０内に収納したときにはチェーン挿通孔２４の上に係留されて、チェーン３を引き出す際の指掛かりとなる。また、チェーン３を引き出して懸架するときには、適宜の相手側掛止具に掛止される。
【００１７】
柵柱本体１０内に引き込まれたチェーン３は、略有底筒状のチェーン収納容器４内に収納される。チェーン収納容器４は、例えばポリウレタン、ポリプロピレン、ポリエチレン等、適当な吸音・緩衝性及び耐久性を有する合成樹脂により形成されている。チェーン収納容器４の上部には、本体部分よりも小径の筒状立ち上がり部４１が形成され、その上底面４２にはチェーン３を挿通するための開口部４３が設けられている。筒状立ち上がり部４１の内側には、ステンレス鋼等からなる金属製の補強リング４４が取り付けられている。補強リング４４は、筒状立ち上がり部４１の内周面及び上底面４２に沿って開口部４３を囲む形状を有し、チェーン収納容器４の成形時に、筒状立ち上がり部４１に一体的に埋め込まれている。
【００１８】
チェーン収納容器４に挿入されるチェーン３の収納側の端部には、抜け止め具５が取り付けられている。抜け止め具５は、チェーン３を構成する鎖輪の半体３２に略円盤状の金属片５１を固着し、その表面を、シリコンゴムやウレタンエラストマー等のゴム状弾性体５２によって被覆した部材である。ゴム状弾性体５２を含む大きさは、チェーン収納容器４の開口部４３を抜け出さない大きさに形成されている。なお、この抜け止め具５をチェーン収納容器４内にセットするために、チェーン収納容器４は、例えば底部を取り外し可能、あるいは中間部を分割可能に成形しておくのが好ましい。
【００１９】
なお、抜け止め具５を被覆するゴム状弾性体５２は、抜け止め具５と、チェーン収納容器４の開口部４３に埋め込まれた補強リング４４との金属的な接触音を緩和するための部材である。この形態に代わる他の実施形態として、抜け止め具５はゴム状弾性体５２等により被覆せず、補強リング４４の内側にゴム状弾性体等からなる適宜の緩衝材を嵌装させてもよい。また、抜け止め具５を被覆しない場合は、チェーン収納容器４の内底部に適宜の緩衝材を敷設してもよい。
【００２０】
このような構成により、チェーン３は、チェーン出入口２及びチェーン収納容器４の開口部４３を通じてチェーン収納容器４内に出し入れ自在に収納される。そして、本発明においては、チェーン収納容器４が、柵柱本体１０の内周面とは適宜の隙間（具体的には数mm〜十数mm）を隔てて、柵柱本体１０内に非固定状態で遊挿されている。チェーン収納容器４の底部は、柵柱本体１０の底部、又は柵柱本体の下部近傍に設けられる図示しないストッパ機構等の上に乗って自然に支えられる。上下方向、すなわちチェーン収納容器４と窓口金具２との間にも、十数cm〜数十cm程度の隙間が設けられる。
【００２１】
このように、チェーン収納容器４を固定しないと、チェーン３の出し入れに伴ってチェーン収納容器４は不規則に揺れ動き、軸回りにも多少回転する。また、チェーン３を全て引き出すと、チェーン収納容器４も一緒に引き上げられて、窓口金具２に当接する状態となる。しかし、このような非固定状態であっても、本発明者らの試作検証によれば、チェーン収納容器４の大きさが柵柱本体１０の径やチェーン３の太さに比べて極端に小さくない限り、特に支障なくチェーン３を出し入れすることができる。そして、チェーン収納容器４が柵柱本体１０に密着していないことから、チェーン３を出し入れする際に柵柱本体１０に直接伝わる衝撃も低減され、従来と同等ないしそれ以上の消音効果を得ることができる。
【００２２】
さらに、チェーン収納容器４を柵柱本体１０に固定するための部材等が不要になるので、組み立てが従来に比して格段に容易になり、製品コストも抑制することができる。また、消音対策が施されていない既設の柵柱に対しても、その内部にチェーン収納容器４を後から挿入するだけで、容易に消音化を図ることが可能になる。
【図面の簡単な説明】
【００２３】
【図１】本発明の実施形態に係るチェーン収納式柵柱の縦断面図である。
【図２】上記チェーン収納式柵柱におけるチェーン出入口の構成を示す部分斜視図である。
【符号の説明】
【００２４】
１  チェーン収納式柵柱
１０  柵柱本体
２３  消音材
３  チェーン
４  チェーン収納容器
４３  開口部
４４  補強リング
５  抜け止め具
５２  ゴム状弾性体
【図１】
2008156941.tif 000003
【図２】
2008156941.tif 000004